(57)【要約】【課題】受信制限機能を備えたファクシミリ装置において、受信制限の対象となる相手局の識別情報を、ユーザが容易にメモリ登録することができること。【解決手段】データ記憶部１５に記憶されている受信履歴情報の電話番号の中から、以下の４つの抽出条件全てを満たすものを、新たに受信拒否用の電話番号を登録する際の選択候補として抽出し（Ｓ３１〜Ｓ３４）、表示部に表示させ（Ｓ３５）、その中から選択して登録する（Ｓ３６）。第１の抽出条件は、受信回数が設定回数Ｉs以上であるという条件（Ｓ３１）、第２の抽出条件は、送信履歴情報として記憶されている電話番号のいずれとも一致しないという条件（Ｓ３２）、第３の抽出条件は、電話帳情報として記憶されている電話番号のいずれとも一致しないという条件（Ｓ３３）、第４の抽出条件は、対象外リストとして記憶されている電話番号のいずれとも一致しないという条件である（Ｓ３４）。【選択図】図４
2007221718.tif 000002
【特許請求の範囲】
【請求項１】
受信制限用の相手局の識別情報を記憶する受信制限相手局記憶手段を具備し、該受信制限相手局記憶手段に記憶されている識別情報と一致する識別情報を有する相手局からのファクシミリの受信を制限する受信制限機能を備えたファクシミリ装置であって、
ファクシミリの送信が行われた場合にその相手局の識別情報を蓄積記憶する送信履歴記憶手段と、
ファクシミリの受信があった場合にその相手局の識別情報を蓄積記憶する受信履歴記憶手段と、
前記受信履歴記憶手段に記憶されている識別情報のうち、少なくとも前記送信履歴記憶手段に記憶されている識別情報と一致しないという条件を含む抽出条件を満たすものを抽出して所定の表示部に表示させる識別情報抽出・出力手段と、
所定の操作部を通じた操作入力に従って、前記識別情報抽出・出力手段により抽出された識別情報の中から、新たな前記受信制限用の相手局の識別情報を選択して前記受信制限相手局記憶手段に記憶させる受信制限相手局選択・登録手段と、
を具備してなることを特徴とするファクシミリ装置。
【請求項２】
前記受信履歴記憶手段に記憶された識別情報ごとの受信回数をカウントする受信回数カウント手段を具備し、
前記識別情報抽出・出力手段の前記抽出条件が、さらに前記受信回数カウント手段によりカウントされた受信回数が所定回数以上であるという条件も含むものである請求項１に記載のファクシミリ装置。
【請求項３】
前記識別情報抽出・出力手段により抽出され前記表示部に表示された識別情報のうち、前記受信制限相手局選択・登録手段により新たな前記受信制限用の相手局の識別情報として選択されなかったものを記憶する非選択識別情報記憶手段を具備し、
前記識別情報抽出・出力手段の前記抽出条件が、さらに前記非選択識別情報記憶手段に記憶されている識別情報と一致しないという条件も含むものである請求項１又は２のいずれかに記載のファクシミリ装置。
【請求項４】
前記識別情報が電話番号である請求項１〜３のいずれかに記載のファクシミリ装置。
【請求項５】
ファクシミリの送信の際に選択対象となる相手局の電話番号の候補を記憶する電話帳記憶手段を具備し、
前記識別情報抽出・出力手段の前記抽出条件が、さらに前記電話帳記憶手段に記憶されている電話番号に一致しないという条件も含むものである請求項４に記載のファクシミリ装置。
【請求項６】
前記受信履歴記憶手段が、ファクシミリの受信があった場合に、該受信の関連情報をその相手局の識別情報と対応付けて蓄積記憶するものであり、
前記識別情報抽出・出力手段が、抽出した前記識別情報に対応付けられた前記関連情報も前記表示部に表示させてなる請求項１〜５のいずれかに記載のファクシミリ装置。
【請求項７】
前記受信履歴記憶手段に蓄積記憶される前記関連情報が、ファクシミリの受信日時情報と、受信回数との一方若しくは両方を含むものである請求項６に記載のファクシミリ装置。
【発明の詳細な説明】
【技術分野】
【０００１】
本発明は、受信制限機能を備えたファクシミリ装置に関するものである。
【背景技術】
【０００２】
ファクシミリ通信を利用した一方的な宣伝広告等の必要のないファクシミリの受信（以下、迷惑ファクシミリ受信という）を受けると、他の必要なファクシミリの受信を妨げ、また、無駄に記録紙やインクが消費されるという問題が生じる。
これに対し、特許文献１には、通信を望まない相手局の識別情報（ＴＳＩ）をユーザが予めメモリに登録しておき、ファクシミリを受信した場合に、発呼局の識別情報が登録された識別情報と一致すれば、メモリ受信を行った後に印刷をしないでメモリ消去を行う偽装受信機能を備えたファクシミリ装置が示されている。この場合、偽装受信ではなく、データ受信そのものを拒否して回線を切断すること等も考えられる。ここで、通信を望まない相手局の識別情報は、ユーザによるテンキー操作等によってメモリに登録される。
このように、予め登録された情報に対応する相手局からのファクシミリ受信を、偽装受信したりデータ受信を拒否したりする機能のことを、以下、受信制限機能という。
【特許文献１】特開平６−２９１９６０号公報
【発明の開示】
【発明が解決しようとする課題】
【０００３】
しかしながら、ユーザが、迷惑ファクシミリ受信の相手局の識別情報をわざわざテンキー等により手入力することは非常に面倒であるという問題点があった。
一方、ファクシミリの受信履歴として相手局の識別情報をメモリに記憶させておき、その受信履歴の中から、受信を制限する相手局を選択可能に構成することも考えられる。しかしながら、この場合も、迷惑ファクシミリ受信の相手局とそうでない相手局とが混在した多数の受信履歴の情報の中から、迷惑ファクシミリ受信の相手局の情報を選択することが非常に面倒であるという問題点があった。
従って、本発明は上記事情に鑑みてなされたものであり、その目的とするところは、受信制限機能を備えたファクシミリ装置において、受信制限の対象となる相手局の識別情報を、ユーザが容易にメモリ登録することができるファクシミリ装置を提供することにある。
【課題を解決するための手段】
【０００４】
上記目的を達成するために本発明は、受信制限用の相手局の識別情報を記憶する記憶手段（以下、受信制限相手局記憶手段という）を具備し、その記憶手段に記憶されている識別情報と一致する識別情報を有する相手局からのファクシミリの受信を制限する受信制限機能を備えたファクシミリ装置に適用されるものである。そして、本発明の特徴は、以下に示す（１）〜（４）の構成要素を備える点にある。
（１）ファクシミリの送信が行われた場合にその相手局の識別情報を蓄積記憶する送信履歴記憶手段。
（２）ファクシミリの受信があった場合にその相手局の識別情報を蓄積記憶する受信履歴記憶手段。
（３）前記受信履歴記憶手段に記憶されている識別情報のうち、少なくとも前記送信履歴記憶手段に記憶されている識別情報と一致しないという条件を含む抽出条件を満たすものを抽出して所定の表示部に表示させる識別情報抽出・出力手段。
（４）所定の操作部を通じた操作入力に従って、前記識別情報抽出・出力手段により抽出された識別情報の中から、新たな前記受信制限用の相手局の識別情報を選択して前記受信制限相手局記憶手段に記憶させる受信制限相手局選択・登録手段。
一般に、ユーザは、自らのファクシミリ装置からデータ送信を行った相手局を受信制限の対象とすることはない。従って、上記構成によれば、ユーザが受信制限用の相手局の識別情報を新たに登録する際に、ファクシミリの受信履歴として記憶された相手局の識別情報の中から、明らかに受信制限の対象とならないものが除外され、受信制限の対象となり得る相手局の識別情報のみが抽出されて選択候補として表示部に表示される。その結果、ユーザは、迷惑ファクシミリ受信の相手局とそうでない相手局とが混在した多数の受信履歴の情報の中から、受信制限を望むものを容易に選択して登録することができる。
【０００５】
また、上記の構成を備えたファクシミリ装置が、前記受信履歴記憶手段に記憶された識別情報ごとの受信回数をカウントする受信回数カウント手段をさらに備え、前記識別情報抽出・出力手段の前記抽出条件が、さらに前記受信回数カウント手段によりカウントされた受信回数が所定回数以上であるという条件も含むよう構成されたものも考えられる。
このように、受信回数が所定回数以上の相手局であることを抽出条件（ＡＮＤ条件）に加えることにより、受信制限を行う相手局の選択候補がさらに絞り込まれ、受信制限を望む相手局をさらに容易に選択することができる。
一般に、ユーザは、複数回繰り返して迷惑ファクシミリ受信があった場合に初めて、その相手局を受信制限の対象にしたいと望むことが多い。即ち、１回若しくは極少数の回数しか発生しない迷惑ファクシミリ受信の相手局については、わざわざメモリを消費させてまで受信制限の対象として登録しようとは思わないことが多い。従って、上記構成により、受信制限を行う相手局の選択候補をさらに絞り込んでも特に支障は生じない。
また、以上に示した構成を備えた各ファクシミリ装置が、前記識別情報抽出・出力手段により抽出され前記表示部に表示された識別情報のうち、前記受信制限相手局選択・登録手段により新たな前記受信制限用の相手局の識別情報として選択されなかったものを記憶する非選択識別情報記憶手段をさらに備え、前記識別情報抽出・出力手段の前記抽出条件が、さらに前記非選択識別情報記憶手段に記憶されている識別情報と一致しないという条件も含むよう構成されたものも考えられる。
一般に、ユーザが、過去に前記受信制限相手局選択・登録手段を通じて選択しなかった相手局は、受信制限の対象としない相手局であることが多いと考えられる。上記構成によれば、このようにユーザが受信制限の対象として選択しなかった相手局の識別情報が、前記受信制限相手局選択・登録手段の処理が実行されるごとに、何度も選択候補として表示部に表示される無駄を防止できる。
【０００６】
また、前記識別情報が電話番号であれば、ユーザが認識しやすく好適である。この場合、以上に示したファクシミリ装置が、ファクシミリの送信の際に選択対象となる相手局の電話番号の候補を記憶する電話帳記憶手段をさらに備え、前記識別情報抽出・出力手段の前記抽出条件が、さらに前記電話帳記憶手段に記憶されている電話番号に一致しないという条件も含むよう構成されたものも考えられる。
一般に、ユーザは、いわゆる電話帳機能により電話番号を登録した相手局を、受信制限の対象とすることはない。従って、上記構成によれば、受信履歴の中から、明らかに受信制限の対象とならない相手局がさらに除外される。その結果、受信制限を行う相手局の選択候補がさらに絞り込まれ、ユーザは、受信制限を望む相手局をさらに容易に選択することができる。
また、前記受信履歴記憶手段が、ファクシミリの受信があった場合に、その受信の関連情報を、その相手局の識別情報と対応付けて蓄積記憶するように構成され、さらに、前記識別情報抽出・出力手段が、抽出した前記識別情報に対応付けられた前記関連情報も前記表示部に表示させるよう構成されたものも考えられる。ここで、前記受信履歴記憶手段に蓄積記憶される前記関連情報は、例えば、ファクシミリの受信日時情報や受信回数を含む情報である。
これにより、ユーザは、選択候補として表示された相手局の情報のうち、受信制限の対象とすべきものを受信日時や受信回数によって容易に特定できる。
【発明の効果】
【０００７】
本発明によれば、ユーザが受信制限用の相手局の識別情報を新たに登録する際に、ファクシミリの受信履歴として記憶された相手局の識別情報の中から、明らかに受信制限の対象とならないものが除外され、受信制限の対象となり得る相手局の識別情報のみが抽出されて選択候補として表示部に表示される。その結果、ユーザは、迷惑ファクシミリ受信の相手局とそうでない相手局とが混在した多数の受信履歴の情報の中から、受信制限を望むものを容易に選択して登録することができる。
【発明を実施するための最良の形態】
【０００８】
以下添付図面を参照しながら、本発明の実施の形態について説明し、本発明の理解に供する。尚、以下の実施の形態は、本発明を具体化した一例であって、本発明の技術的範囲を限定する性格のものではない。
ここに、図１は本発明の実施形態に係るファクシミリ装置Ｘの概略構成を表すブロック図、図２はファクシミリ装置Ｘのファクシミリ受信時の処理の手順を表すフローチャート、図３はファクシミリ装置Ｘのファクシミリ送信時の処理の手順を表すフローチャート、図４はファクシミリ装置Ｘの受信拒否相手先電話番号登録処理の手順を表すフローチャート、図５はファクシミリ装置Ｘの受信拒否相手先電話番号登録画面の例を表す図である。
なお、以下の記載において、"相手先"という記載は、ファクシミリ通信の相手局（相手側のファクシミリ装置）と同義である。
【０００９】
本発明の実施形態に係るファクシミリ装置Ｘは、受信拒否用の相手先の電話番号（識別情報の一例）を記憶手段に記憶し、その記憶手段に記憶されている電話番号と一致する電話番号の相手先からファクシミリの受信要求があった場合に、その相手先からのファクシミリの受信を行わない受信拒否機能（受信制限機能の一例）を備えたファクシミリ装置である。
ファクシミリ装置Ｘは、図１に示すように、操作部１１、表示部１２、スキャナ部１３、印字部１４、データ記憶部１５、ＣＰＵ１６、ＲＯＭ１７、画像処理部１８及び電話回線制御部２０等を備えている。なお、ファクシミリ装置Ｘは、図１に示す構成要素以外にも、一般的なファクシミリ装置が備える構成要素も備えているが、ここでは記載を省略している。
操作部１１は、ユーザにより操作されるシートキーや操作ボタン等により構成され、ユーザによる操作入力を受け付ける入力インターフェースである。
表示部１２は、液晶表示パネルやＬＥＤランプ等により構成され、ユーザに提供する情報を表示するものである。
【００１０】
スキャナ部１３は、例えば、密着型撮像素子（ＣＩＳ：Contact Image Sensor）等のイメージセンサを備え、このイメージセンサにより原稿から画像を読み取るものである。
印字部１４は、電話回線４を通じて受信される受信ファクシミリデータ（画像データ）やスキャナ部１３で読み取られた原稿画像データに基づく画像を、所定の記録紙に出力する（画像形成する）ものである。例えば、感熱記録方式によって感熱記録紙に画像形成を行うものや、インクジェット方式或いは電子写真方式によっていわゆる普通紙に画像形成を行うもの等である。
データ記憶部１５は、例えば、フラッシュメモリやＥＥＰＲＯＭ等により構成された不揮発性メモリであり、送受信されるファクシミリデータ及びそれに関連する各種データ、並びに、ユーザによって操作部１１を通じて入力される各種設定情報等を記憶するものである。
例えば、データ記憶部１５には、ファクシミリの送信の際に選択対象となる相手先の電話番号の候補の集合である電話帳情報が記憶されている（電話帳記憶手段の一例）。
ＣＰＵ１６は、当該ファクシミリ装置Ｘ全体の各種制御及び演算を行う演算手段である。
ＲＯＭ１７は、ＣＰＵ１６により実行される制御プログラムや演算プログラム、ＣＰＵ１６がそれらプログラムを実行する際に参照するデータ等が記憶されるメモリである。
画像処理部１８は、例えば、ＤＳＰ（Digital Signal Processors）等により構成され、データ記憶部１５に記憶させる画像データの圧縮処理やその画像データを読み出す際のデータ伸長処理（復元処理）、データ形式変換等の各種画像処理を行うものである。
電話回線制御部２０は、ＮＣＵ（Network Control Unit）やモデム等により構成され、ダイヤルアップや通信相手（相手局）との間で通信方法を決定するネゴシエーション処理等を行い、電話回線４を通じて他のファクシミリ装置とファクシミリデータの送受信を行うものである。
【００１１】
次に、図２に示すフローチャートを参照しつつ、ファクシミリ装置Ｘにおけるファクシミリ受信時の処理の手順について説明する。なお、以下に示すＳ１１、Ｓ１２、…は、処理手順（ステップ）の識別符号を表す。また、以下に示すＣＰＵ１６の処理は、ＣＰＵ１２がＲＯＭ１７に記憶されたプログラムを実行することにより実現される。
この図２に示す処理は、電話回線制御部２０が、電話回線４を通じて他のファクシミリ装置からの発呼を検知し、ファクシミリの受信要求を受信した場合に実行される。
＜ステップＳ１１＞
まず、ＣＰＵ１６は、ファクシミリ通信の相手先が、ユーザによって予め登録された受信拒否用の相手先であるか否かを判別する（Ｓ１１）。
ここで、データ記憶部１５（受信制限相手局記憶手段の一例）には、ユーザによって登録された受信拒否用の相手先の電話番号が記憶されている。そして、このステップＳ１１では、ＣＰＵ１６は、電話回線制御部２０を通じて相手先から得た相手先の電話番号が、データ記憶部１５に記憶されている受信拒否用の電話番号のいずれかと一致する場合に受信拒否の相手先であると判別し、そうでない場合に受信拒否の相手先ではないと判別する。なお、受信拒否用の相手先の電話番号を登録する処理については、後述する。
＜ステップＳ１６、Ｓ１２＞
そして、ＣＰＵ１６は、ステップＳ１１で受信拒否の相手先であると判別した場合、電話回線４の接続を切断（回線切断）し（Ｓ１６）、受信処理を終了させる。
一方、ＣＰＵ１６は、ステップＳ１１で受信拒否の相手先ではないと判別した場合、電話回線制御部２０を通じて、ファクシミリの受信処理を行う（Ｓ１２）。このファクシミリの受信処理は、一般的なファクシミリ装置が行う処理と同様である。
【００１２】
＜ステップＳ１３〜Ｓ１５＞
ファクシミリの受信処理（Ｓ１２）が終了すると、ＣＰＵ１６は、受信履歴の保存処理（Ｓ１３〜Ｓ１５）を実行する。
この受信履歴の保存処理において、まず、ＣＰＵ１６は、データ記憶部１５に記憶されている受信履歴情報に、今回のファクシミリ受信の相手先の電話番号が既に存在するか否かを判別する（Ｓ１３）。
ここで、ＣＰＵ１６は、相手先の電話番号が前記受信履歴情報に存在しないと判別した場合、データ記憶部１５に、相手先の電話番号と、今回のファクシミリ受信に対応する関連情報とを関連付けて追加記憶させ（Ｓ１４）、その後、当該受信時の処理を終了させる。このステップＳ１４で記憶される相手先の電話番号及び関連情報が、新たに更新された受信履歴情報を構成する。ここで、ファクシミリ受信の関連情報には、受信日時情報と、受信回数（＝１回）とが含まれる。
一方、ＣＰＵ１６は、相手先の電話番号が前記受信履歴情報に存在すると判別した場合、データ記憶部１５の受信履歴情報に存在する相手先の電話番号に関連付けられた前記関連情報を最新の内容に更新し（Ｓ１５）、その後、当該受信時の処理を終了させる。具体的には、前記受信日時情報を今回の受信日時（最新の受信日時）の情報に更新し、さらに、前記受信回数を＋１（カウントアップ）する。
このように、ＣＰＵ１６は、ファクシミリの受信があった場合に、その相手先（相手局）の電話番号（識別情報の一例）と、その受信の関連情報（受信日時及び受信回数）とを、受信履歴情報としてデータ記憶部１５（受信履歴記憶手段の一例）に蓄積して記憶させる（Ｓ１３〜Ｓ１４）。
なお、データ記憶部１５に記憶された受信履歴情報の電話番号ごとに、その電話番号の相手先からのファクシミリ受信の回数をカウントする処理（Ｓ１４、Ｓ１５）を行うＣＰＵ１６が、受信回数カウント手段の一例である。
【００１３】
次に、図３に示すフローチャートを参照しつつ、ファクシミリ装置Ｘにおけるファクシミリ送信時の処理の手順について説明する。
この図３に示す処理は、操作部１１を通じて所定のファクシミリ送信操作が行われた場合に実行される。
＜ステップＳ２１＞
まず、ＣＰＵ１６は、スキャナ部１３、画像処理部１８及び電話回線制御部２０を制御することにより、ファクシミリ送信処理を実行する（Ｓ２１）。具体的には、ＣＰＵ１６は、ユーザによる操作部１１の操作入力に従って相手先の電話番号を特定し、スキャナ部１３に原稿画像を読み取らせ、画像処理部１８に原稿画像の画像処理を実行させる。さらに、ＣＰＵ１６は、電話回線制御部２０を通じて、相手先の電話番号に発呼し、原稿画像の送信処理を実行する。
次に、ＣＰＵ１６は、データ記憶部１５に記憶されている送信履歴情報に、今回のファクシミリ送信の相手先の電話番号が既に存在するか否かを判別する（Ｓ２２）。
＜ステップＳ２２、Ｓ２３＞
次に、ＣＰＵ１６は、ステップＳ２１で相手先の電話番号が前記送信履歴情報に存在しないと判別した場合、データ記憶部１５の送信履歴情報に、今回の相手先（送信先）の電話番号を追加記憶させ（Ｓ２３）、その後、当該送信時の処理を終了させる。
一方、ＣＰＵ１６は、相手先の電話番号が前記送信履歴情報に存在すると判別した場合、そのまま当該送信時の処理を終了させる。
このように、ＣＰＵ１６は、ファクシミリの送信があった場合に、その送信先（相手局）の電話番号（識別情報の一例）を、送信履歴情報としてデータ記憶部１５（送信履歴記憶手段の一例）に蓄積して記憶させる（Ｓ２２〜Ｓ２３）。
【００１４】
次に、図４に示すフローチャートを参照しつつ、ファクシミリ装置Ｘにおける受信拒否相手先電話番号登録処理の手順について説明する。
この図４に示す処理は、操作部１１を通じて所定の受信拒否相手先登録開始操作が行われた場合に実行される。
＜ステップＳ３１〜Ｓ３４＞
まず、ＣＰＵ１６は、データ記憶部１５に記憶されている前記受信履歴情報の電話番号の中から、以下の４つの抽出条件全てを満たすものを、新たに受信拒否用の電話番号を登録する際の選択候補として抽出する。
第１の抽出条件は、ステップＳ１４、Ｓ１５においてＣＰＵ１６によりカウントされた受信回数が、予め定められた設定回数Ｉs以上であるという条件である。ステップＳ３１において、この第１の抽出条件に基づく電話番号の抽出処理が行われる。なお、設定回数Ｉsは、ユーザによる操作部１１を通じた所定の操作入力に応じて任意に設定可能な数値である。
第２の抽出条件は、データ記憶部１５に前記送信履歴情報として記憶されている電話番号のいずれとも一致しない（送信履歴に存在しない）という条件である。ステップＳ３２において、この第２の抽出条件に基づく電話番号の抽出処理が行われる。
第３の抽出条件は、データ記憶部１５に前記電話帳情報として記憶されている電話番号のいずれとも一致しない（電話帳に存在しない）という条件である。ステップＳ３３において、この第３の抽出条件に基づく電話番号の抽出処理が行われる。
第４の抽出条件は、データ記憶部１５に対象外リスト（非選択識別情報記憶手段の記憶情報の一例）として記憶されている電話番号のいずれとも一致しない（対象外リストに存在しない）という条件である。この対象外リストについては後述する。ステップＳ３４において、この第４の抽出条件に基づく電話番号の抽出処理が行われる。
【００１５】
＜ステップＳ３５＞
さらに、ＣＰＵ１６は、受信を拒否する相手先の電話番号を登録するための画面である受信拒否相手先登録画面を表示部１２に表示させる（Ｓ３５）。
図５は、受信拒否相手先登録画面の一例を表すものである。
図５に示すように、受信拒否相手先登録画面には、ステップＳ３１〜Ｓ３４の処理によってＣＰＵ１６が抽出した相手先の電話番号（受信履歴情報に含まれる電話番号の全部若しくは一部）ｄ１が、選択候補として一覧表示される。
さらに、受信拒否相手先登録画面には、選択候補として表示された相手先の電話番号ｄ１各々について、それに関連付けられた前記関連情報（ステップＳ１４、Ｓ１５でデータ記憶部１５に記憶された情報）である最新の受信日時ｄ２及び受信回数ｄ３も表示される。
なお、ステップＳ３１〜Ｓ３５の処理を実行するＣＰＵ１６が、識別情報抽出・出力手段の一例である。
【００１６】
＜ステップＳ３６＞
さらに、ＣＰＵ１６は、操作部１１を通じた操作入力に従って、受信拒否相手先登録画面により表示中の電話番号、即ち、ステップＳ３１〜Ｓ３４の処理（識別情報抽出・出力手段の処理に相当）により抽出された電話番号の中から、新たな受信拒否用の相手先の電話番号を選択してデータ記憶部１５（受信制限相手局記憶手段の一例）に記憶させる（Ｓ３６、受信制限相手局選択・登録手段の一例）。
その具体例としては、ＣＰＵ１６は、図５に示す受信拒否相手先登録画面の表示中に、操作部１１の一部であるカーソル移動・決定ボタン１１ａの操作内容を検知し、その操作内容に応じて次の（１）〜（３）の処理を実行する。
（１）カーソル移動・決定ボタン１１ａの上矢印部又は下矢印部の操作に応じて、一覧表示された相手先電話番号ｄ１のいずれかを指し示すカーソル（図５における反転表示部）を移動させる。
（２）カーソル移動・決定ボタン１１ａの左矢印部又は右矢印部の操作に応じて、カーソルに対応する相手先電話番号ｄ１に、選択フラグを設定するか解除するかを切り替える。図５において、チェックマークｄ４が示されているものが、選択フラグが設定されているものを表している。
（３）カーソル移動・決定ボタン１１ａの決定部の操作に応じて、前記選択フラグが設定されている全ての電話番号を、受信拒否用の相手先の電話番号としてデータ記憶部１５に記憶させる（登録する）。
【００１７】
以上に示したステップＳ３１〜Ｓ３６の処理により、ユーザは、選択候補として一覧表示された電話番号の中から、１又は複数の電話番号をカーソル移動操作等により選択するという容易な操作で、受信拒否用の相手先の電話番号を登録できる。
しかも、ファクシミリの受信履歴として記憶された相手先の電話番号の中から、明らかに受信拒否の対象とならないもの（送信履歴や電話帳に存在するもの）が除外され、受信拒否の対象となり得る相手先の電話番号のみが抽出されて選択候補として表示部１２に表示される。
さらに、抽出された電話番号（選択候補）と併せて、その関連情報（受信日時ｄ２、受信回数ｄ３）も表示されるので、ユーザは、受信拒否の対象とすべき相手先をその受信日時や受信回数によって容易に特定できる。
以上の結果、ユーザは、迷惑ファクシミリ受信の相手先とそうでない相手先とが混在した多数の受信履歴の電話番号の中から、受信拒否を望むものを容易に選択して登録することができる。
【００１８】
＜ステップＳ３７、Ｓ３８＞
さらに、ＣＰＵ１６は、ステップＳ３１〜Ｓ３５の処理によって抽出及び表示部１２への表示がなされた電話番号のうち、ステップＳ２６の処理で新たな受信拒否用の相手先の電話番号として選択されなかったもの（前記選択フラグが設定されなかったもの）を、前述のステップＳ４で参照される前記対象外リストに追加してデータ記憶部１５に記憶させるか否かをユーザに確認する（問い合わせる）処理を実行しする（Ｓ３７）。
ここで、操作部１１を通じて、追加する旨の情報が入力されると、ＣＰＵ１６は、ステップＳ２６の処理で新たな受信拒否用の相手先の電話番号として選択されなかった電話番号を、前記対象外リストに追加してデータ記憶部１５（非選択識別情報記憶手段）に記憶させ（Ｓ３８）、その後、当該受信拒否相手先電話番号登録処理を終了させる。
一方、操作部１１を通じて、追加しない旨の情報が入力されると、ＣＰＵ１６は、そのまま当該受信拒否相手先電話番号登録処理を終了させる。
一般に、ユーザが、ステップＳ３６の選択処理において、着信拒否用の相手先として選択しなかった相手先は、受信拒否の対象としない相手先である場合が多い。従って、ステップＳ３７、Ｓ３８及びＳ３４の処理により、ユーザが受信拒否の対象として選択しなかった相手先の電話番号が、ステップＳ３５の処理が実行されるごとに、何度も選択候補として表示部１２に表示される無駄を防止できる。
【００１９】
以上に示した実施形態では、ファクシミリ受信の制限機能の一例として、受信拒否機能（受信をしない機能）を示したが、受信制限の内容としては、特許文献１に示されるような偽装受信等も考えられる。
また、以上に示した実施形態では、相手先を識別する情報として相手先の電話番号を用いたが、この他、例えば特許文献１に示される識別情報（ＴＳＩ）等、他の識別情報を採用することも考えられる。この場合、電話帳に基づく前記第３の抽出条件は適用できない。
また、前記受信履歴情報の電話番号の中から、新たな受信拒否用の電話番号の選択候補として抽出する条件から、前記第２の抽出条件以外の他の抽出条件を除くことも考えられる。
また、以上に示した実施形態では、ＣＰＵ１６が、相手先の電話番号ごとの受信回数を、ファクシミリ受信の際にカウントし、受信履歴情報の一部としてデータ記憶部１５に記憶させる例を示した。この他、ＣＰＵ１６が、ファクシミリ受信の都度、相手先の電話番号を受信履歴情報としてデータ記憶部１５に追加記憶させ、ステップＳ３１での抽出処理の際に、電話番号ごとの受信回数をカウントして抽出する構成も考えられる。
【産業上の利用可能性】
【００２０】
本発明は、ファクシミリ装置への利用が可能である。
【図面の簡単な説明】
【００２１】
【図１】本発明の実施形態に係るファクシミリ装置Ｘの概略構成を表すブロック図。
【図２】ファクシミリ装置Ｘのファクシミリ受信時の処理の手順を表すフローチャート。
【図３】ファクシミリ装置Ｘのファクシミリ送信時の処理の手順を表すフローチャート。
【図４】ファクシミリ装置Ｘの受信拒否相手先電話番号登録処理の手順を表すフローチャート。
【図５】ファクシミリ装置Ｘの受信拒否相手先電話番号登録画面の例を表す図。
【符号の説明】
【００２２】
１１…操作部
１２…表示部
１３…スキャナ部
１４…印字部
１５…データ記憶部
１６…ＣＰＵ
１７…ＲＯＭ
１８…画像処理部
２０…電話回線制御部
Ｓ１１、Ｓ１２、、、…処理手順（ステップ）
【図１】
2007221718.tif 000003
【図２】
2007221718.tif 000004
【図３】
2007221718.tif 000005
【図４】
2007221718.tif 000006
【図５】
2007221718.tif 000007